【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
複数の発光部が主走査方向に離間している光源手段と、回転多面鏡と、前記複数の発光部から出射した複数の光束の各々の主走査方向の光束幅を前記回転多面鏡の偏向面の主走査方向の幅より広い状態で前記偏向面に入射させる入射光学系と、前記回転多面鏡の偏向面で偏向走査された複数の光束を被走査面上に結像させる結像光学系と、を有する光走査装置において、
前記被走査面上の軸上から軸外を走査するときの前記回転多面鏡の回転角をθp［°］、前記回転多面鏡の偏向面の面数をＮ、前記回転多面鏡の外接円半径をｒｐ［mm］、前記光源手段の主走査方向の傾き角をα［°］、前記光源手段の発光部から出射する光束の主走査方向のビーム放射角をθFFP［°］、前記入射光学系の主走査方向の焦点距離をｆinc［mm］、主走査断面内における前記入射光学系の後側焦点位置から前記回転多面鏡の偏向面までの距離をＸ［mm］、主走査方向の最大発光部間隔をＷ［mm］、下記に示す関係式（２）の最小値、最大値を各々ｂｍｉｎ、ｂｍａｘとするとき、
【数１】
2007183354.tif 000001
ただし、ΔL［mm］＝2×ｆinc×tanα+（X×W）/（ｆinc）        ‥‥‥（３）
なる条件を満足するように各要素を設定したことを特徴とする光走査装置。
【請求項２】
複数の発光部が主走査方向に離間している光源手段と、偏向手段と、前記複数の発光部から出射した複数の光束の各々の主走査方向の光束幅を前記偏向手段の偏向面の主走査方向の幅より広い状態で前記偏向面に入射させる入射光学系と、前記偏向手段の偏向面で偏向走査された複数の光束を被走査面上に結像させる結像光学系と、を有する光走査装置において、
前記入射光学系の主走査方向の焦点距離をｆinc［mm］、主走査断面内における前記入射光学系の後側焦点位置から前記偏向手段の偏向面までの距離をＸ［mm］、主走査方向の最大発光部間隔をＷ［mm］、前記光源手段の主走査方向の傾き角をα［°］とするとき、
１［mm］≦ΔL≦６［mm］        ‥‥‥（４）
ただし、
ΔL［mm］＝2×ｆinc×tanα+（X×W）/（ｆinc）        ‥‥‥（３）
なる条件を満足するように各要素を設定したことを特徴とする光走査装置。
【請求項３】
前記光源手段から出射する光束のビーム数は、３以上であることを特徴とする請求項１又は２に記載の光走査装置。
【請求項４】
前記光源手段は、面発光レーザーであることを特徴とする請求項３に記載の光走査装置。
【請求項５】
前記偏向手段は、回転多面鏡であることを特徴とする請求項２に記載の光走査装置。
【請求項６】
請求項１乃至５の何れか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写手段と、転写されたトナー像を被転写材に定着させる定着器とを有することを特徴とする画像形成装置。
【請求項７】
請求項１乃至５の何れか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００２０
【補正方法】変更
【補正の内容】
【００２０】
請求項１の発明の光走査装置は、複数の発光部が主走査方向に離間している光源手段と、回転多面鏡と、前記複数の発光部から出射した複数の光束の各々の主走査方向の光束幅を前記回転多面鏡の偏向面の主走査方向の幅より広い状態で前記偏向面に入射させる入射光学系と、前記回転多面鏡の偏向面で偏向走査された複数の光束を被走査面上に結像させる結像光学系と、を有する光走査装置において、
前記被走査面上の軸上から軸外を走査するときの前記回転多面鏡の回転角をθp［°］、前記回転多面鏡の偏向面の面数をＮ、前記回転多面鏡の外接円半径をｒｐ［mm］、前記光源手段の主走査方向の傾き角をα［°］、前記光源手段の発光部から出射する光束の主走査方向のビーム放射角をθFFP［°］、前記入射光学系の主走査方向の焦点距離をｆinc［mm］、主走査断面内における前記入射光学系の後側焦点位置から前記回転多面鏡の偏向面までの距離をＸ［mm］、主走査方向の最大発光部間隔をＷ［mm］、下記に示す関係式（２）の最小値、最大値を各々ｂｍｉｎ、ｂｍａｘとするとき、
【数１】
2007183354.tif 000002
ただし、ΔL［mm］＝2×ｆinc×tanα+（X×W）/（ｆinc）        ‥‥‥（３）
なる条件を満足するように各要素を設定したことを特徴としている。
【手続補正３】
【補正対象書類名】明細書
【補正対象項目名】００２１
【補正方法】変更
【補正の内容】
【００２１】
請求項１の発明の光走査装置は、複数の発光部が主走査方向に離間している光源手段と、偏向手段と、前記複数の発光部から出射した複数の光束の各々の主走査方向の光束幅を前記偏向手段の偏向面の主走査方向の幅より広い状態で前記偏向面に入射させる入射光学系と、前記偏向手段の偏向面で偏向走査された複数の光束を被走査面上に結像させる結像光学系と、を有する光走査装置において、
前記入射光学系の主走査方向の焦点距離をｆinc［mm］、主走査断面内における前記入射光学系の後側焦点位置から前記偏向手段の偏向面までの距離をＸ［mm］、主走査方向の最大発光部間隔をＷ［mm］、前記光源手段の主走査方向の傾き角をα［°］とするとき、
１［mm］≦ΔL≦６［mm］        ‥‥‥（４）
ただし、
ΔL［mm］＝2×ｆinc×tanα+（X×W）/（ｆinc）        ‥‥‥（３）
なる条件を満足するように各要素を設定したことを特徴としている。
【手続補正４】
【補正対象書類名】明細書
【補正対象項目名】００２２
【補正方法】変更
【補正の内容】
【００２２】
請求項３の発明は請求項１又は２の発明において、前記光源手段から出射する光束のビーム数は、３以上であることを特徴としている。
【手続補正５】
【補正対象書類名】明細書
【補正対象項目名】００２３
【補正方法】変更
【補正の内容】
【００２３】
請求項４の発明は請求項３の発明において、前記光源手段は、面発光レーザーであることを特徴としている。
【手続補正６】
【補正対象書類名】明細書
【補正対象項目名】００２４
【補正方法】変更
【補正の内容】
【００２４】
請求項５の発明は請求項２の発明において、前記偏向手段は、回転多面鏡であることを特徴としている。
【手続補正７】
【補正対象書類名】明細書
【補正対象項目名】００２５
【補正方法】変更
【補正の内容】
【００２５】
請求項６の発明の画像形成装置は、請求項１乃至５の何れか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写手段と、転写されたトナー像を被転写材に定着させる定着器とを有することを特徴としている。
【手続補正８】
【補正対象書類名】明細書
【補正対象項目名】００２６
【補正方法】変更
【補正の内容】
【００２６】
請求項７の発明の画像形成装置は、請求項１乃至５の何れか１項に記載の光走査装置と、外部機器から入力したコードデータを画像信号に変換して前記光走査装置に入力せしめるプリンタコントローラとを有していることを特徴としている。
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】００４０
【補正方法】変更
【補正の内容】
【００４０】
図中、１は複数の発光部を有する光源手段であり、主走査方向に16個の発光部（16ビーム）を離間して配列したモノリシックマルチレーザである面発光レーザー（VCSEL）より成っている。
【手続補正１９】
【補正対象書類名】明細書
【補正対象項目名】００５４
【補正方法】変更
【補正の内容】
【００５４】
一方、主走査断面内における複数の光束は発散して第１の結像レンズ６ａを通過することによって平行光束に変換され、回転多面鏡５の偏向角の中央から偏向面５ａに入射している（正面入射）。このときの平行光束の光束幅は主走査方向において回転多面鏡５の偏向面５ａのファセット幅に対して十分広くなるような状態に設定している（OFS系）。